(57)【要約】      （修正有）【課題】コネクタ及びその端子を提供する。【解決手段】コネクタは回路基板に装設され、コネクタは本体部と、中間部シールドシートと、複数の導電端子３０とを備える。中間部シールドシートは本体部内に固設される。複数の導電端子３０は上下２列に横向きに配列されるように本体部内の中間部シールドシートの上下二側に固設され、共に固持部を有し、固持部の前端縁には接触部が連接され、接触部の前端の二側の厚さは中間の厚さより薄く、各接触部の前端は共に接触面を有し、各接触面は本体部の下表面及び上表面にそれぞれ露出され、固持部の後端縁には溶接部が連接され、各溶接部は共に本体部から突出されると共に回路基板に溶接される。コネクタは、導電端子３０の接触部の前端の二側の厚さが中間の厚さより薄いため、高周波インピーダンスが改善され、コネクタの電気信号の伝送が安定し、電気信号の伝送品質および伝送量を向上させる。【選択図】図７
0003202707.tif 000002
【実用新案登録請求の範囲】
【請求項１】
回路基板に装設されるコネクタであって、
前記回路基板に固装される本体部と、
本体部内に固設される中間部シールドシートと、
上下２列に横向きに配列されるように本体部内の中間部シールドシートの上下二側に固設され、且つ共に固持部を有し、前記各固持部はそれぞれ上下２列に横向きに配列されるように本体部内の中間部シールドシートの上下二側に固設され、固持部の前端縁には前に向けて延伸される接触部が連接され、接触部の前端の二側の厚さは中間の厚さより薄く、各接触部の前端は共に接触面を有し、各接触面は本体部の下表面及び上表面にそれぞれ露出され、固持部の後端縁には溶接部が連接され、各溶接部は共に本体部から突出されると共に前記回路基板に溶接される複数の導電端子と、
本体部の外部に固装され、その前端が本体部の前端と共に包囲させることで結合空間が形成されるシールドケースとを備えることを特徴とするコネクタ。
【請求項２】
前記各固持部は共に上下に延伸される縦部を有し、縦部の上端縁には前に向けて湾曲されると共に水平に延伸される横部が連接され、前記接触部は横部の前端縁に連接され、前記溶接部は縦部の下端縁に連接されると共に後に向けて湾曲されて延伸されることを特徴とする、請求項１に記載のコネクタ。
【請求項３】
前記本体部は絶縁ベース部を有する絶縁本体を備え、前記絶縁ベース部の前表面にはタングプレートが前に向けて突出され、前記タングプレートの下表面の前部には横向きに配列されて絶縁ベース部の後表面を貫通させる１組の下段端子溝が開設され、前記複数の導電端子は複数の第一端子を含み、各第一端子は共に第一固持部を有し、第一固持部は上下に延伸される第一縦部を有し、第一縦部の上端縁には前に向けて湾曲されると共に水平に延伸される第一横部が連接され、第一横部の前端縁には前に向けて延伸される第一接触部が連接され、第一接触部の下表面の前端は第一接触面であり、第一縦部の下端縁には後に向けて湾曲されて延伸される第一溶接部が連接され、前記各第一横部は下段端子溝の後部にそれぞれ係合され、各第一接触部は下段端子溝の前部にそれぞれ設けられ、各第一接触面はタングプレートの前部の下表面にそれぞれ露出されることを特徴とする、請求項２に記載のコネクタ。
【請求項４】
前記絶縁ベース部の後表面の下部には第一スロット部が前に向けて開設され、第一スロット部の前壁の下部には第二スロット部が前に向けて開設され、前記第二スロット部の前壁は各下段端子溝に対応される箇所に共に前段係止溝が開設され、前記各第一縦部は第二スロット部内に収納されると共に前段係止溝内にそれぞれ係合され、各第一溶接部の下表面は絶縁ベース部の下表面にそれぞれ突出されることを特徴とする、請求項３に記載のコネクタ。
【請求項５】
前記複数の導電端子は複数の第二端子をさらに備え、各第二端子は共に第二固持部を有し、第二固持部は上下に延伸される第二縦部を有し、第二縦部の上端縁には前に向けて湾曲されると共に水平に延伸される第二横部が連接され、第二横部の前端縁には前に向けて延伸される第二接触部が連接され、第二接触部の上表面の前端は第二接触面であり、第二縦部の下端縁には後に向けて湾曲されて延伸される第二溶接部が連接され、前記タングプレートの上表面の前部には横向きに配列されて第一スロット部まで貫通させる１組の上段端子溝が開設され、前記本体部は固定用ブロックをさらに含み、固定用ブロックの後表面の下部には上下に延伸されると共に横向きに配列される複数のバンプが凸設され、２つのバンプの間には後段係止溝がそれぞれ形成され、前記各第二横部は上段端子溝の後部にそれぞれ係合され、各第二縦部は第一スロット部内にそれぞれ収納され、各第二接触部は上段端子溝の前部にそれぞれ設けられ、各第二接触面はタングプレートの前部の上表面にそれぞれ露出され、前記固定用ブロックは第二スロット部内にある第一縦部と第二縦部との間に装設され、各第二縦部は後段係止溝内にそれぞれ係合され、各第二溶接部の下表面は固定用ブロックの下表面にそれぞれ突出されることを特徴とする、請求項４に記載のコネクタ。
【請求項６】
前記中間部シールドシートは主シールドシート及び接地用板を備え、前記主シールドシートは絶縁本体内の複数の下段端子溝と複数の上段端子溝との間にインモールド成形され、主シールドシートの後部の上面は第二スロット部の上壁に貼設され、前記接地用板は左右に延伸される固定用板を有し、固定用板の下端縁の左右二側には共にピンが下向きに延出され、固定用板の上端縁には少なくとも１つの弾性部材が連接され、前記固定用板は固定用ブロック内にインモールド成形され、ピンは固定用ブロックの下表面から突出されて前記回路基板に固設され、弾性部材は固定用ブロックの上表面から弾性に突出されると共に主シールドシートに当接されることを特徴とする、請求項５に記載のコネクタ。
【請求項７】
前記接触部の前端には接触面の一面と左右二側面との連接箇所に対して共に傾斜面が設けられることを特徴とする、請求項１に記載のコネクタ。
【請求項８】
前記接触部の前端には接触面の一面の二側に対して共に切欠きスロットが開設されることを特徴とする、請求項１に記載のコネクタ。
【請求項９】
コネクタ内に固設される導電端子であって、固持部を有し、固持部の前端縁には前に向けて延伸される接触部が連接され、接触部の前端の二側の厚さは中間の厚さより薄く、接触部の前端は接触面を有し、固持部の後端には溶接部が連接されることを特徴とする導電端子。
【請求項１０】
前記固持部は上下に延伸される縦部を有し、縦部の上端縁には前に向けて湾曲されると共に水平に延伸される横部が連接され、前記接触部は横部の前端縁に連接され、前記溶接部係は縦部の下端縁に連接されると共に後に向けて湾曲されて延伸されることを特徴とする、請求項９に記載の導電端子。
【請求項１１】
前記接触部の前端には接触面の一面と左右二側面との連接箇所に対して共に傾斜面が設けられることを特徴とする、請求項９に記載の導電端子。
【請求項１２】
前記接触部の前端には接触面の一面の二側に対して共に切欠きスロットが開設されることを特徴とする、請求項９に記載の導電端子。
【考案の詳細な説明】
【技術分野】
【０００１】
本考案は、伝送品質が高いコネクタ及びその端子に関する。
【背景技術】
【０００２】
従来のコネクタは本体部と、中間部シールドシートと、複数の導電端子と、シールドケースとを備える。中間部シールドシートは本体部内にインモールド成形され、複数の導電端子は上下２列に横向きに配列されるように本体部内の中間部シールドシートの二側に固設される。複数の導電端子は共に固持部を有し、固持部の前端縁には前に向けて延伸される接触部が連接され、固持部の後端縁には溶接部が連接される。前記各固持部はそれぞれ上下２列に横向きに配列されるように本体部内の中間部シールドシートの二側に固設され、各接触面は本体部の下表面及び上表面にそれぞれ露出され、各溶接部は共に本体部から突出されると共に回路基板に溶接される。シールドケースは本体部の外部に固装され、シールドケースの前端及び本体部の前端により包囲されることで結合空間が形成される。
【考案の概要】
【考案が解決しようとする課題】
【０００３】
しかしながら、前述した従来のコネクタ技術による導電端子の高周波インピーダンスは標準的な要求に達せず、電気信号の伝送が不安定である。即ち、電気信号の伝送が安定的なコネクタ及びその端子を提供し、電気信号の伝送品質および伝送量を高める必要がある。
【０００４】
そこで、本考案者は上記の欠点が改善可能と考え、鋭意検討を重ねた結果、合理的かつ効果的に課題を改善する本考案の提案に到った。
【０００５】
なお、本考案は、上述のような従来の問題を解決するためになされたものである。上記課題解決のため、本考案の主な目的は、コネクタ及びその端子を提供する。
【課題を解決するための手段】
【０００６】
上述した課題を解決し、上記目的を達成するための本考案は、本考案に係るコネクタが回路基板に装設され、本体部と、中間部シールドシートと、複数の導電端子と、シールドケースとを備える。本体部は前記回路基板に固装される。中間部シールドシートは本体部内に固設される。複数の導電端子は上下２列に横向きに配列されるように本体部内の中間部シールドシートの上下二側に固設され、共に固持部を有し、前記各固持部はそれぞれ上下２列に横向きに配列されるように本体部内の中間部シールドシートの上下二側に固設され、固持部の前端縁には前に向けて延伸される接触部が連接され、接触部の前端の二側の厚さは中間の厚さより薄い。各接触部の前端は共に接触面を有し、各接触面は本体部の下表面及び上表面にそれぞれ露出され、固持部の後端縁には溶接部が連接され、各溶接部は本体部から突出されると共に前記回路基板に溶接される。シールドケースは本体部の外部に固装され、シールドケースの前端及び本体部の前端により包囲されることで結合空間が形成される。
【０００７】
さらに、上記目的を達成するために、本考案に係る導電端子は、コネクタ内に固設され、固持部を有し、固持部の前端縁は前に向けて延伸される接触部に連接され、接触部の前端の二側の厚さは中間の厚さより薄く、接触部の前端は接触面を有し、固持部の後端には溶接部が連接される。
【考案の効果】
【０００８】
本考案によれば、従来の技術に存在する欠点及び不足に対して電気信号の伝送が安定的なコネクタ及びその端子を提供し、電気信号の伝送品質および伝送量を向上させる。詳しくは、本考案に係るコネクタは、導電端子の接触部の前端の二側の厚さが中間の厚さより薄いため、高周波インピーダンスが改善され、コネクタの電気信号の伝送が安定し、電気信号の伝送品質および伝送量が向上する。
【図面の簡単な説明】
【０００９】
【図１】本考案の第１実施例に係るコネクタを示す外観斜視図である。
【図２】図１に示すコネクタを他の角度から見た外観斜視図である。
【図３】図１に示すコネクタを示す斜視の展開図である。
【図４】図１に示すコネクタを他の角度から見た斜視の展開図である。
【図５】シールドケースは図１に示すコネクタに含まれない外観斜視図である。
【図６】図５に示すコネクタには含まれないシールドケースを他の角度から見た外観斜視図である。
【図７】本考案のコネクタの各導電端子を示す外観斜視図である。
【図８】本考案の第２実施例に係るコネクタの各導電端子を示す外観斜視図である。
【図９】図８に示す各導電端子を他の角度から見た外観斜視図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１１】
以下、本考案の具体的な実施例について添付図面に基づき説明する。本考案のコネクタ１００は回路基板（不図示）に装設され、本体部１０と、中間部シールドシート２０と、複数の導電端子３０と、シールドケース５０とを備える（図１乃至図５及び図７参照）。
【００１２】
図３乃至図５に示すように、前記本体部１０は絶縁本体１１と、固定用ブロック１２と、金属ケース１３とを備える。前記絶縁本体１１は後部が矩形状を呈する絶縁ベース部１１１を有し、絶縁ベース部１１１の後表面の下部には第一スロット部１１２が前に向けて開設され、第一スロット部１１２の前壁の下部には第二スロット部１１３が前に向けて開設され、第一スロット部１１２の二側壁には共に第二スロット部１１３の二側壁まで貫通させる案内用スロット１１４が開設される。絶縁ベース部１１の前表面の中部にはタングプレート１１５が前に向けて突出され、タングプレート１１５は後部が大きく前部が小さく、タングプレート１１５の後部にはタングプレート１１５の後部を包囲させる固定用凹部１１６が開設される。タングプレート１１５の下表面の前部には横向きに配列されて第二スロット部１１３まで貫通させる１組の下段端子溝１１７が開設され、タングプレート１１５の上表面の前部には横向きに配列されて第一スロット部１１２まで貫通させる１組の上段端子溝１１８が開設される。第二スロット部１１２の前壁は各下段端子溝１１７に対応される箇所に共に前段係止溝１１９が開設される。
【００１３】
前記固定用ブロック１２は矩形状を呈し、固定用ブロック１２の上表面には少なくとも１つのスロット１２１が開設され、固定用ブロック１２の左右二側の中部には後端が固定用ブロック１２の後表面から突出される案内用ブロック１２２が共に凸設される。具体的には、固定用ブロック１２の上表面には横向きに配列される２つのスロット１２１が開設され、固定用ブロック１２の後表面の下部には上下に延伸されると共に横向きに配列される複数のバンプ１２３が凸設され、２つのバンプ１２３の間には後段係止溝１２４がそれぞれ形成される。前記金属ケース１３は下段金属ケース１３１及び上段金属ケース１３２を備える。
【００１４】
また、前記中間部シールドシート２０は主シールドシート２１及び接地用板２２を備え、主シールドシート２１は矩形状を呈するシールド基板２１１を有し、シールド基板２１１の前端縁の中部には前に向けて延伸されるシールドタングプレート２１２が連接される。
【００１５】
なお、前記接地用板２２は左右に延伸される固定用板２２１を有し、固定用板２２１の下端縁の左右二側には共にピン２２２が下向きに延出され、固定用板２２１の上端縁には少なくとも１つの弾性部材２２５が連接される。具体的には、固定用板２２１の上端縁には前に向けて湾曲されて延伸された後に下に向けて湾曲されて延伸される係合板２２３が連接され、係合板２２３の中部には切欠き部２２４が開設され、係合板２２３の切欠き部２２４の箇所には横向きに配列されて後に向けて湾曲されると共に後に向けて上方に延伸される２つの弾性部材２２５が連接される。
【００１６】
前記複数の導電端子は共に固持部を有し、固持部の前端縁には前に向けて延伸される接触部が連接され、接触部の前端の二側の厚さは中間の厚さより薄く、各接触部の前端は共に接触面を有し、固持部の後端縁には溶接部が連接される。具体的には、固持部は上下に延伸される縦部を有し、縦部の上端縁には前に向けて湾曲されると共に水平に延伸される横部が連接され、前記接触部は横部の前端縁に連接され、前記溶接部は縦部の下端縁に連接されると共に後に向けて湾曲されて延伸される（図７乃至図９参照）。
【実施例１】
【００１７】
本考案のコネクタ１００の第１実施例の構成を図３から図７に示す。
前記実施例によると、接触部の前端には接触面の一面と左右二側面との連接箇所に対して共に傾斜面が設けられる。具体的には、前記複数の導電端子３０は複数の第一端子３１及び複数の第二端子３２を備え、各第一端子３１は共に第一固持部３１１を有し、第一固持部３１１は上下に延伸される第一縦部３１１１を有し、第一縦部３１１１の上端縁には前に向けて湾曲されると共に水平に延伸される第一横部３１１２が連接され、第一横部３１１２の前端縁には前に向けて延伸される第一接触部３１２が連接される。第一接触部３１２の下表面の前端は第一接触面３１２１であり、第一接触部３１２の前端の上表面と左右二側面との連接箇所には共に第一傾斜面３１２２が設けられ、第一縦部３１１１の下端縁には後に向けて湾曲されると共に水平に延伸される第一溶接部３１３が連接される。
【００１８】
前記各第二端子３２は共に第二固持部３２１を有し、第二固持部３２１は上下に延伸される第二縦部３２１１を有し、第二縦部３２１１の上端縁には前に向けて湾曲されると共に水平に延伸される第二横部３２１２が連接され、第二横部３２１２の前端縁には前に向けて延伸される第二接触部３２２が連接される。第二接触部３２２の上表面の前端は第二接触面３２２１であり、第二接触部３２２の前端の下表面と左右二側面との連接箇所には共に第二傾斜面３２２２が設けられる。第二縦部３２１１の下端縁には後に向けて湾曲されると共に水平に延伸される第二溶接部３２３が連接される。
【実施例２】
【００１９】
本考案のコネクタ１００の第２実施例の構成を図１、図８及び図９に示す。前記実施例によれば、複数の導電端子の接触部の前端には接触面の一面の二側に対して共に切欠きスロットが開設される。具体的には、前記複数の導電端子４０は複数の第三端子４１及び複数の第四端子４２を備え、各第三端子４１は共に第三固持部４１１を有し、第三固持部４１１は上下に延伸される第三縦部４１１１を有する。第三縦部４１１１の上端縁には前に向けて湾曲されると共に水平に延伸される第三横部４１１２が連接され、第三横部４１１２の前端縁には前に向けて延伸される第三接触部４１２が連接される。第三接触部４１２の下表面の前端は第三接触面４１２１であり、第三接触部４１２の前端の上表面の二側には共に第一切欠きスロット４１２２が開設され、第三縦部４１１１の下端縁には後に向けて湾曲されると共に水平に延伸される第三溶接部４１３が連接される。前記各第四端子４２は共に第四固持部４２１を有し、第四固持部４２１は上下に延伸される第四縦部４２１１を有し、第四縦部４２１１の上端縁には前に向けて湾曲されると共に水平に延伸される第四横部４２１２が連接され、第四横部４２１２の前端縁には前に向けて延伸される第四接触部４２２が連接される。第四接触部４２２の上表面の前端は第四接触面４２２１であり、第四接触部４２２の前端の下表面の二側には共に第二切欠きスロット４２２２が開設される。第四縦部４２１１の下端縁には後に向けて湾曲されると共に水平に延伸される第四溶接部４２３が連接される。
【００２０】
本考案に係るコネクタ１００の装設においては、中間部シールドシート２０は本体部１０内の複数の下段端子溝１１７と複数の上段端子溝１１８との間に固設される。具体的には、主シールドシート２１のシールド基板２１１及びシールドタングプレート２１２の後部は絶縁ベース部１１１内にインモールド成形され、シールド基板２１１の上面は第二スロット部１１３の上壁に貼設され、シールド基板２１１の後表面と第一スロット部１１２の前壁とが平らになり、シールドタングプレート２１２の前部はタングプレート１１５内にインモールド成形される（図１乃至図７参照）。
【００２１】
複数の導電端子３０の各固持部は共に上下２列に横向きに配列されるように本体部１０内の中間部シールドシート２０の上下二側に固設され、各接触面は本体部１０の下表面及び上表面にそれぞれ露出され、各溶接部は共に本体部１０から突出されると共に前記回路基板に溶接される。具体的には、各第一横部３１１２は下段端子溝１１７の後部にそれぞれ係合され、各第一接触部３１２は下段端子溝１１７の前部にそれぞれ設けられ、各第一接触面３１２１はタングプレート１１５の前部の下表面にそれぞれ露出される。各第一縦部３１１１は第二スロット部１１３内に収納されると共に前段係止溝１１９内にそれぞれ係合され、各第一溶接部３１３の下表面は絶縁ベース部１１１の下表面にそれぞれ突出される。
【００２２】
接地用板２２の固定用板２２１及び係合板２２３は固定用ブロック１２内にインモールド成形され、ピン２２２は固定用ブロック１２の下表面から突出され、弾性部材２２５は固定用ブロック１２の上表面から弾性により突出される。案内用スロット１１４及び案内用ブロック１２２の案内により固定用ブロック１２が絶縁本体１１の第二スロット部１１３内にある主シールドシート２１と第一溶接部３１３との間に装設され、弾性部材２２５が主シールドシート２１に当接され、ピン２２２が前記回路基板に固設される。
【００２３】
各第二横部３２１２は上段端子溝１１８の後部にそれぞれ係合され、各第二接触部３２２は上段端子溝１１８の前部にそれぞれ設けられ、各第二接触面３２２１はタングプレート１１５の前部の上表面にそれぞれ露出され、各第二縦部３２１１は第一スロット部１１２内にそれぞれ収納されると共に後段係止溝１２４内にそれぞれ係合され、各第二溶接部３２３の下表面は固定用ブロック１２の下表面にそれぞれ突出される。
【００２４】
金属ケース１３はタングプレート１１５の後部の外囲を被覆させる。具体的には、上段金属ケース１３２は固定用凹部１１６の上部に固設され、下段金属ケース１３１は固定用凹部１１６の下部に固設されると共に上段金属ケース１３２に固定される。
【００２５】
さらに、シールドケース５０は本体部１０の外部に固装され、シールドケース５０の前端及び本体部１０の前端により包囲されることで結合空間６０が形成される。具体的には、シールドケース５０の前端及びタングプレート１１５により包囲されることで前記結合空間６０が形成される。
【００２６】
上述したように、本考案のコネクタ１００は導電端子の接触部の前端の二側の厚さが中間の厚さより薄いため、高周波インピーダンスが改善され、コネクタ１００による電気信号の伝送が安定し、電気信号の伝送品質および伝送量が高まる。
【００２７】
なお、本考案は前述した実施の形態のみに限定されるものではなく、本考案の要旨を逸脱しない範囲において種々の変更が可能であることは勿論である。
【符号の説明】
【００２８】
１００  コネクタ
１０  本体部
１１  絶縁本体
１１１  絶縁ベース部
１１２  第一スロット部
１１３  第二スロット部
１１４  案内用スロット
１１５  タングプレート
１１６  固定用凹部
１１７  下段端子溝
１１８  上段端子溝
１１９  前段係止溝
１２  固定用ブロック
１２１  スロット
１２２  案内用ブロック
１２３  バンプ
１２４  後段係止溝
１３  金属ケース
１３１  下段金属ケース
１３２  上段金属ケース
２０  中間部シールドシート
２１  主シールドシート
２１１  シールド基板
２１２  シールドタングプレート
２２  接地用板
２２１  固定用板
２２２  ピン
２２３  係合板
２２４  切欠き部
２２５  弾性部材
３１  第一端子
３１１  第一固持部
３１１１  第一縦部
３１１２  第一横部
３１２  第一接触部
３１２１  第一接触面
３１２２  第一傾斜面
３１３  第一溶接部
３２  第二端子
３２１  第二固持部
３２１１  第二縦部
３２１２  第二横部
３２２  第二接触部
３２２１  第二接触面
３２２２  第二傾斜面
３２３  第二溶接部
４１  第三端子
４１１  第三固持部
４１１１  第三縦部
４１１２  第三横部
４１２  第三接触部
４１２１  第三接触面
４１２２  第一切欠きスロット
４１３  第三溶接部
４２  第四端子
４２１  第四固持部
４２１１  第四縦部
４２１２  第四横部
４２２  第四接触部
４２２１  第四接触面
４２２２  第二切欠きスロット
４２３  第四溶接部
５０  シールドケース
６０  結合空間
３０  導電端子
４０  導電端子
【図１】
0003202707.tif 000003
【図２】
0003202707.tif 000004
【図３】
0003202707.tif 000005
【図４】
0003202707.tif 000006
【図５】
0003202707.tif 000007
【図６】
0003202707.tif 000008
【図７】
0003202707.tif 000009
【図８】
0003202707.tif 000010
【図９】
0003202707.tif 000011